Podtech/llm-jp-corpus-v4-ja_patent huggingface dataset:
(57)【要約】【課題】この発明は、「尿」や「便」の形や色、臭いを観察できるセンサーを設け、毎日の健康状態をチェックして管理する便座と携帯ＩＴシステムに関するものである。【解決手段】（イ）便座や携帯ＩＴ機具に排泄物の形や色を観察できるセンサーと臭いが分かる臭いセンサーを設ける。（ロ）パネルに結果と今後の注意事項をデジタル文字やグラフなどで表示する。（ハ）音声機能でお知らせる。（ニ）スマホなどＩＴ機具と連動して情報をやり取りする。【選択図】図１
2016138438.tif 000002
【特許請求の範囲】
【請求項１】
（イ）「尿」や「便」の形や色、臭いを観察できるセンサーを設ける。
（ロ）パネルにデジタル文字やグラフなどでチェックした内容や今後の注意事項などを示す。
（ハ）音声機能付きで、音でもお知らせしてくれる。
以上の如く構成された、毎日の健康状態をチェックして管理する便座とＩＴ機具。
【請求項２】
スマホなどに臭いセンサーを取り付けて、内蔵のカメラ機能と同時に連動して情報のやり取りをする、請求項１の健康状態をチェックして管理する携帯ＩＴシステム。
【発明の詳細な説明】
【発明の詳細な説明】
【技術分野】
【０００１】  この発明は、「尿」や「便」の形や色、臭いを観察できるセンサーを設け、毎日の健康状態をチェックして管理する便座と携帯ＩＴシステムに関するものである。
【背景技術】
【０００２】  便器というのは主に人体の排泄物を収容し、そして流してくれ、もう皆様の生活になじんで不可欠な生活道具のひとつである。特にこの３０年の間に、おしりにぬるま湯を掛ける便利なトイレの普及もあった。そこにはいろいろな機能が搭載され、日本人のほとんどはトイレの時間での快適さと清潔さを手に入れた。
一方、海外ではこのようなトイレの普及がまだないのが現実である。原因はいろいろあるが、欧米の暮らしは、日本みたいに道具によって楽しみを追求していないのかもしれないが、海外の人々の健康志向は日本人と同じのはずである。
【発明が解決しようとする課題】
【０００３】  トイレは体のコンディション（調子、状態）を「尿」や「便」という形で教えてくれる大事な場所である。特に「便」に関しては、出した後、チェックせずにすぐ流してしまうなど、あまり関心のない人が多いのである。実は、「便」はとても大切な健康のバロメーター（基準）である。偏った食事や喫煙、お酒の飲みすぎなどの生活習慣の乱れによって、便秘や下痢になり、また肌荒れやニキビの原因にもなる。さらに、ガンやアレルギー症状を増長するとも言われている。「便」の状態（形や色）や臭いで健康の良し悪しは分かり、とんでもない物を食べたか、病気になっているかはその日の状態で対処方もわかる。すると身体や腸を健康に保つためには、今後の生活習慣に何かを気をつけなければならないのか把握できる。つまり「便」を観察することで病気の早期発見や生活習慣の見直すことに役立つのである。
【課題を解決するための手段】
【０００４】  本発明構成を説明すると、
（イ）便座や携帯ＩＴ機具に排泄物の形や色を観察できるカメラセンサーと臭いが分かる臭いセンサーを設ける。
（ロ）チェックした内容と今後の注意事項をパネルにデジタル文字やグラフなどで示す。
（ハ）音声でお知らせる。
（ニ）スマホなどＩＴ機具と連動して情報のやり取りをする
以上のような健康のチェックができる使座とＩＴシステムである。
【発明を実施するための形態】
【０００５】  毎日「便」を出した後、流さずに便座や携帯ＩＴ機具のセンサーボタンを押してチェックをかける、パネルにデジタル文字やグラフなどでチェックした内容と注意事項を示す。音声機能を利用して音での確認もできる。
【発明の効果】
【０００６】  自動チェックセンサーによる排泄物の観察は、万が一「便」に異常があれば、素早く病気の発見や今後の注意を喚起することに役立つのである。健康のチェックができる便座と携帯ＩＴシステムの利用は世界で一番の長寿国の日本だけではなく、これからは世の中に同じ健康志向をもつ人々にも受け入れるのである。
【図面の簡単な説明】
【図１】  本発明の設置図
【符号の説明】  １はカメラセンサー
２は臭いセンサー
【図１】
2016138438.tif 000003
(57)【要約】      （修正有）【課題】パッチワーク用の布切れの選択を簡単にして、自由に変更できる方法を提供する。【解決手段】パッチワーク用の台座フレームの裏側をマグネットが吸着しやすい材質にしておくとともに、台座にはモジュールラインを入れおき、貼付した布の位置がわかりやすいようにしておく。その一方で、台座に貼付する各布切れの四隅についても、マグネットシートを裏打ちしておくと、台座フレームに対して、布切れの正確で、短時間での自由な貼り変えが可能となり、創造力を高めたパッチワークが実施できる。【選択図】図３
2016138356.tif 000002
【特許請求の範囲】
【請求項１】
台座フレームのパネルがマグネットが付着する材質にして、モジュールラインを入れる、モジュールは多種多様な選択肢。
【請求項２】
パッチワークの布の裏にマグネットシートを貼る。
四隅は扱いに便にする為にカット。
【発明の詳細な説明】
【技術の分野】
パッチワーク
【背景技術】マグネットを利用したパッチワーク
【先行技術文献】
該当するケースは無い
【発明の概要】
パッチワークの各布切れの裏にマグネットシートを裏打ちする。
台座フレームに、パッチワークの選択肢が自由に変えられる。
楽しみながら自由な創造力を高める。
【発明が解決しようとする課題】楽しみながら万人芸術家の素養を高め脳の活性化から心身の豊かさを高める。パッチワークの自在な変更が可能となる。
【課題を解決する為の手段】
パッチワークの台座フレームの板をマグネットに対して吸着する台座フレームとし、パッチワークの布地の裏にマグネットシートを接着する事に依り、自由な貼り変えが出来る。
【発明の効果】
子供の情緒教育から高齢者の、かって経験が無い人達も瞬時に色彩感覚・材質感・柔らかさ等から受ける計り知れない効果が産みだされる。
【図面の簡単な説明】
【図１】台座フレーム、モジュールラインを入れてある。
【図２】台座フレームの断面、補強裏張りしたマグネットが付着するシートを表面に貼ってある。
【図３】パッチワークの個々のパーツの四隅を貼り変えの手がかり用にカットしてある。
【発明を実施する為の形態】
各図示の構成に依り目的が叶えられる。
【符号の説明】（１）  台座フレーム、寸法はモジュールとも各種対応する。
（２）  補強裏張りしたマグネットが付着するシートパネル。
（３）  マグネットが裏に付いたパッチワーク布の四隅は貼り変え自在が自由に容易に出来るようにカット。
【図１】
2016138356.tif 000003
【図２】
2016138356.tif 000004
【図３】
2016138356.tif 000005
(57)【要約】【課題】転動装置の軌道面や転動面に、本発明の固体潤滑剤被膜を成膜することにより、大気中で、高回転、高荷重を受け止め、転動装置の長寿命化を図る。【解決手段】外方部材と、内方部材と、転動体とを備える転動装置において、外方部材、内方部材及び転動体の少なくとも１つに、下地としてリン酸塩処理を行い、その上に、二炭素材料を含有する固体潤滑剤被膜を成膜してなり、かつ、前記潤滑剤被膜における炭素材料の割合が８０〜１００質量％である。【選択図】図１
2016138563.tif 000002
【特許請求の範囲】
【請求項１】
外方部材と、内方部材と、転動体とを備える転動装置において、
前記外方部材、前記内方部材及び前記転動体の少なくとも１つに、下地としてリン酸塩処理を行い、その上に、炭素材料を含有する固体潤滑剤被膜を成膜してなり、かつ、前記固体潤滑剤被膜における炭素材料の割合が８０〜１００質量％であることを特徴とする転動装置。
【発明の詳細な説明】
【技術分野】
【０００１】
本発明は転動装置に関し、特にフライホイールに用いるタッチダウン軸受として好適な転動装置に関する。
【背景技術】
【０００２】
環境・石油・ガス関連分野で使われるブロワやエネルギー分野で使われるフライホイールにおいて、大容量・効率化のために大型化・高回転化が進んでいる。これらの主軸は定常時、磁気軸受に支えられ、宙に浮いた状態で毎分数万回転で運転しているが、突如の電源喪失や急激な振動が加わると主軸は磁気軸受で支えきれなくなる。その際，数万回転で自重を伴って落下する数十ｋｇ〜数十ｔｏｎの主軸を受け止め、装置の故障を防ぐのがタッチダウン軸受である。これらの用途においてタッチダウン軸受は、大気中で高回転・高荷重を受け止める性能が求められ、転動装置の潤滑性能が重要である。
【０００３】
転動装置の潤滑性能を向上させるために、例えば、特許文献１では、圧縮機用軸受の提供を目的として固体潤滑剤（錫、銅、亜鉛、ニッケル等の合金やＰＴＦＥ等の樹脂被膜、非晶質炭素被膜（ＤＬＣ）など）を軸受表面に施し、潤滑性を高めている。
【先行技術文献】
【特許文献】
【０００４】
【特許文献１】特開２００６−１７０１０６号公報
【発明の概要】
【発明が解決しようとする課題】
【０００５】
しかしながら、特許文献１では、本発明と異なる皮膜を用いており、用途も異なる。
【０００６】
そこで本発明は、転動装置の軌道面や転動面に、本発明の固体潤滑剤被膜を成膜することにより、大気中で、高回転、高荷重を受け止め、転動装置の長寿命化を図ることを目的とする。
【課題を解決するための手段】
【０００７】
上記課題を解決するために本発明は、外方部材と、内方部材と、転動体とを備える転動
装置において、前記外方部材、前記内方部材及び前記転動体の少なくとも１つに、下地と
してリン酸塩処理を行い、その上に、炭素材料を含有する固体潤滑剤被膜を成膜してなり、かつ、前記固体潤滑剤被膜における炭素材料の割合が８０〜１００質量％であることを特徴とする転動装置を提供する。
【発明の効果】
【０００８】
本発明によれば、転動装置の軌道面や転動面に、リン酸塩からなる下地層を介して、炭素材料を含有する固体潤滑剤被膜を成膜するので、前記固体潤滑剤被膜は軌道面や転動面との密着性にも優れる。しかも、リン酸塩からなる下地層及び固体潤滑剤被膜は、下地層を浸漬による化成処理により形成し、固体潤滑被膜を塗布により簡便に成膜することができる。更には、固体潤滑剤被膜における炭素材料の配合比率を特定したことにより、潤滑性能にも優れる。
【０００９】
このように、本発明の転動装置は、長寿命であり、安価に製造することができる。
【図面の簡単な説明】
【００１０】
【図１】本発明の転動装置の一例である玉軸受の断面図である。
【図２】試験の結果を示すグラフである。
【発明を実施するための形態】
【００１１】
以下、本発明に関して詳細に説明する。
【００１２】
本発明において、転動装置には制限はなく、例えば図１に示す玉軸受を例示することができる。図示される玉軸受は、内方部材である内輪１と、外方部材である外輪２との間に、転動体である玉３を保持器４により転動自在に保持したものであり、内輪１に下地としてリン酸塩処理を行い、その上に、二硫化モリブデンと炭素材料とからなる固体潤滑剤被膜５を成膜したものである。尚、固体潤滑剤被膜５は、外輪２や玉３に成膜してもよい。
【００１３】
リン酸塩としては、リン酸マンガン、リン酸亜鉛、リン酸カルシウム、リン酸亜鉛カルシウム、リン酸鉄等が挙げられ、化成処理によりリン酸塩からなる下地層が形成される。処理条件は、一般的なリン酸塩処理と同様で構わない。例えば、内輪1等を脱脂し、それをリン酸塩溶液に浸漬し、所定時間加熱すればよく、このリン酸塩処理によりミクロンオーダーの下地層が成膜される。
【００１４】
次いで、リン酸塩からなる下地層の上に、炭素材料を含有し、好ましくは二硫化モリブデンも含有する固体潤滑剤被膜５を成膜する。炭素材料としては、黒鉛、カーボンブラック、カーボンナノチューブ、フラーレン、カーボンオニオン等が挙げられる。
固体潤滑剤被膜５における二硫化モリブデンと炭素材料との比率は、質量％で、炭素材料が全体の８０〜１００質量％、好ましくは１００質量％を占めることが好ましい。炭素材料が８０質量％未満では膜の耐久性が低く、早期に焼付きに至り、十分な潤滑寿命が得られない。また、二硫化モリブデンは、全体の２０質量％以下であることが好ましい。
【００１５】
固体潤滑剤被膜５を成膜するには、二硫化モリブデン、炭素材料及びチタン酸塩等の無機系バインダーを含む混合液を、スプレーやタンブリングで塗布し、乾燥させる。尚、固体潤滑剤被膜５の膜厚は、潤滑寿命や膜強度、回転に支障を及ぼさないことなどを考慮すると、０．５〜１５μｍが好ましい。
【００１６】
このように、下地層及び固体潤滑剤被膜５とも、塗布・乾燥という簡便な方法により成膜することができる。
【実施例】
【００１７】
以下に試験例を挙げて本発明を更に説明するが、本発明はこれにより何ら制限されるものではない。
【００１８】
（実施例１〜４、比較例１）
玉軸受の内輪及び玉をリン酸塩処理して、リン酸マンガン、リン酸亜鉛、リン酸カルシウム、リン酸亜鉛カルシウムまたはリン酸鉄からなる下地層を形成した。そして、表１に示すように、実施例１〜４では、黒鉛の割合が異なる二硫化モリブデンとの固体潤滑剤被膜を成膜した。また、比較例１では、二硫化モリブデンのみからなる被膜を成膜した。
【００１９】
上記の内輪及び玉を用いて玉軸受を組み立て、タッチダウン軸受を想定して、窒化雰囲
気、面圧２ＧＰａ、回転数３００００ｍｉｎ−１の大荷重・高速回転にて連続回転させ、
焼付き寿命を測定した。
【００２０】
【表１】
2016138563.tif 000003
【００２１】
結果を図２に示すが、実施例１〜４のように黒鉛を含有することにより、黒鉛を含まな
い比較例１に比べて焼付き寿命が延びることがわかる。また、黒鉛の割合が多くなるほど、長寿命になる傾向にある。即ち、大荷重・高速回転下では、固体潤滑剤被膜における炭素材料が多い方が好ましいといえる。
【符号の説明】
【００２２】
１  内輪
２  外輪
３  玉
４  保持器
５  固体潤滑剤被膜
【図１】
2016138563.tif 000004
【図２】
2016138563.tif 000005
(57)【要約】【課題】回転軸３の両側の末端に開度表示器４を取り付けて両側から開度を確認する逆流防止ダンパーを提案する。【解決手段】ケーシング２を矩形として、前記矩形の左右にケーシング２を貫通した回転軸３を設けて回転可能とし、前記回転軸３に空気圧を受けるための羽根体５を取り付けて、矩形内部の下部に当て板６を設け、前記回転軸３の両側のケーシング２を貫通した末端に開度表示器４を取り付ける。一方の空気の流れによる圧力で前記羽根体５が空気圧と釣合うところを前記開度表示器４で確認し、他方の空気の流れによる圧力の場合は、前記羽根体５が前記当て板６に接触することで停止することを特徴とする逆流防止ダンパー。【選択図】図１
2016138734.tif 000002
【特許請求の範囲】
【請求項１】
空気の流路に介設されるケーシングと、このケーシング内を横切るように回動自在に設けられた回転軸と、この回転軸に固定され、空気の一定流方向のみに流路を開放すると共に逆流方向に対して、
流路を閉鎖する様に設けられた羽根体と、を備えて前記開放する角度を前記回転軸の両側の末端に開度表示器を表示することに特徴とする逆流防止ダンパー。
【発明の詳細な説明】
【技術分野】
【０００１】
本発明は、逆流防止ダンパーに関する発明である。
【背景技術】
【０００２】
従来の逆流防止ダンパーは、ケーシング内に羽根体を空気流の一方向に回動し得るように軸支させて流路を開放させ、逆方向からの空気流に対しては羽根体が回動不能となるようなストッパーを設けてケーシング内を閉鎖させる。
このような逆流防止ダンパーは、ケーシングの上端側に回転軸を回動自在に軸支させ、この回転軸にダンパー羽根体の一端面側を固定させて他端部側を下方に垂下状に支持させ、一定方向の風流れに対して開放させるとともに、流れに直交するような位置で流路を全閉させ、空気の通風遮断を行うものである。
逆流防止ダンパーの回転軸の末端に開度表示器を取り付ける。開度表示器を確認することで、開度表示器が「閉」ならば、空気は遮断されており、開度表示器が「開」の方を指示していれば、空気が流れていることを意味する。
前記回転軸は、羽根体が取り付けられており、一方から空気が流れると空気の流れによる圧力が前記羽根体に当たり、前記羽根体を任意の角度に押し上げて、前記回転軸が回転する。
前記回転軸のケーシングを貫通した末端に取り付けられた開度表示器が現在の羽根体の角度を表示する。
【０００３】
他方、空気が逆向きに流れると逆流防止ダンパー内に当て板が設けられていて、前記羽根体が前記当て板に押し当てられて止まる構造となっている。
ストッパーにより前記羽根体が止まることで、空気が遮断される仕組みになっている。
そして、施工にあたっては、現地調査あるいは施工図・総合図により、逆流防止ダンパーのメンテナンス予定位置を事前に検討して決定し、逆流防止ダンパーのメンテナンス位置を指定してメーカーに発注していた。
【先行技術文献】
【特許文献】
【０００４】
【特許文献１】特開平２−２０６２４６号公報
【発明の概要】
【発明が解決しようとする課題】
【０００５】
しかし、設計変更、改修変更、あるいは別途工事などにより、他の部位と干渉したりして、メンテナンス想定位置から開度確認が物理的な影響によりメンテナンスが難しい場合は、反対側からでは開度表示を把握できない、といった問題点がありました。
また、左右個別に発注管理を行っているため、資材のストックヤードをそれぞれ必要としていました。
本発明は、前記の問題点を解決するためになされるものであって、逆流防止ダンパーの両側の回転軸を突出す構造であって、左右どちらかでも開度表示器を確認できることを課題とする。
【課題を解決するための手段】
【０００６】
請求項１に記載の発明は、空気の流路に介設されるケーシングと、このケーシング内を横切るように回動自在に設けられた回転軸と、この回転軸に固定され、空気の一定流方向のみに流路を開放すると共に逆流方向に対して流路を閉鎖する様に設けられた羽根体と、を備えて前記開放する角度を前記回転軸の両側の末端に開度表示器に表示することを特徴とする逆流防止ダンパー。
【発明の効果】
【０００７】
本発明は、逆流防止ダンパーの両側左右に、開度表示器を設けることで、左右個別の発注管理を不要とし、施工図の記載に過誤があったとしても対応できる自由度を構築できる。
想定外の改修工事によるメンテナンスエリアが塞がれた場合でも、反対側から矢印を確認して開度がわかり、将来にわたり、改修工事をして、メンテナンスエリアの変更が起きたとしても、左右両側から開度を確認することができる安心度の高い仕組みを構築することができる。
左右個別の発注管理を行わないため、資材のストックヤードが不要となる。
【図面の簡単な説明】
【０００８】
【図１】本発明の実施形態に係るチャッキダンパーの正面図である。
【図２】本発明の実施形態に係るチャッキダンパーの側面図である。
【発明を実施するための形態】
【０００９】
本実施形態では、逆流防止ダンパーの実施の形態について、図面を用いて説明する。
図１および図２は、逆流防止ダンパーの状態を示す。
逆流防止ダンパー１の本体ケーシング２の高さの中心より上部に回転軸３を前記ケーシング２の左右両側を貫通して設けて回転可能とし、前記回転軸３の両側末端に開度表示器４を取り付ける。
【００１０】
逆流防止ダンパー１内に順方向に空気が流れた場合、前記羽根体５に空気が当たって、羽根体５を押し上げて、羽根体５の自重による反力と釣合ったところで、羽根体５が停止し、開度表示器４で開度を確認することができる。
一方、逆方向に空気が流れた場合、前記羽根体５に空気が当たって、羽根体５を押し上げる力が働くことになるが、前記当て板６に羽根体５が接触して停止し、空気の流れは遮断されることになる。
逆流防止ダンパー１内を空気が流れる方向が順方向あるいは逆方向であっても、前記開度表示器４は左右両側に取り付けられていることから、左右両側から確認することができる。
【符号の説明】
【００１１】
１  逆流防止ダンパー
２  ケーシング
３  回転軸
４  開度表示器
５  羽根体
６  当て板
【図１】
2016138734.tif 000003
【図２】
2016138734.tif 000004
(57)【要約】      （修正有）【課題】スマートフォンやタブレットといったタッチパネルを採用した装置で、ＰＣの「右クリック」のような機能を、使用可能とする方法を提供する。【解決手段】『メニューボタン』を押下しながらまたは押下後に対象箇所を選択する操作により、使用可能なメニューを表示し、ＰＣにおける右クリックのような操作を可能とする。【選択図】図１
2016009477.tif 000002
【特許請求の範囲】
【請求項１】
スマートフォンやタブレットといったタッチパネルを採用した装置で、ＰＣにおける「右クリック」のように機能する『メニューボタン』を設定し、それを押下しながらまたは押下後に対象となるファイル等を選択する操作によりメニュー表示と機能選択を行い、ＰＣの「右クリック」のような機能を実現すること。
【請求項２】
請求項１における対象となるファイル、文字列等を選択する際、指でなぞった範囲で対象を範囲指定（複数指定）できるようにすること。
【発明の詳細な説明】
【技術分野】
【０００１】  スマートフォンやタブレットといったタッチパネルを採用した装置の操作性を高める方法に関するものである。
【背景技術】
【０００２】  ＰＣにおける右クリック（⇒メニュー表示⇒機能の選択）のような操作へのニーズがあり、「ダブルタッチ」などの特許出願がある。
【発明の概要】
【発明が解決しようとする課題】
【０００３】  ＰＣにおける右クリック（⇒メニュー表示⇒機能の選択）のように簡単に使用できる操作がないため、画像や文字列のコピー＆ペースト、ファイルやフォルダの整理など、ＰＣでは容易な操作もスマートフォン等では操作しづらい面があるという課題。
【課題を解決するための手段】
【０００４】  （現状の『メニューボタン』に機能追加するか、新たな『メニューボタン』を設定し、）『メニューボタン』を押下しながらまたは押下後に対象箇所を選択する操作により、使用可能なメニューを表示し、ＰＣにおける右クリックのような操作を可能とする。
【発明の効果】
【０００５】  ＰＣにおける操作しやすさをスマートフォンに取り入れられる。
【図面の簡単な説明】
【０００６】
【図１】図１は、画像をあるフォルダにコピー＆ペーストする場合のものであり、「右クリック」に相当する『メニューボタン』を押下しながらまたは押下後に、画像やフォルダを選択しメニューを表示し選択することにより機能を実行する様子を例示した説明図である。
【図１】
2016009477.tif 000003
(57)【要約】【課題】従来のレジタルカメラケースは、レンズ保護カバーが無いので、カメラ取扱い時にレンズ部に圧力が掛かり故障が発生した。【解決手段】このレジタルカメラレンズの故障を発生させない様に、デジタルカメラケースレンズ保護カバーを取り付けて故障を無くしレンズを保護する。【選択図】図１
2016009182.tif 000002
【特許請求の範囲】
【請求項１】
デジタルカメラケースに内蔵した、デジタルカメラケースレンズ保護カバー
【発明の詳細な説明】
【技術分野】
【０００１】本発明は、デジタルカメラ取扱い時にレンズを故障させない様にする為のデジタルカメラケースレンズ保護カバーに関するものである。
【技術背景】
【０００２】従来のデジタルカメラケースには、レンズ保護カバーが無いので、カメラ取扱い時にレンズ部に圧力が掛かり故障が発生していた、このレンズ部に圧力が掛からない様にする為のレジタルカメラケースレンズ保護カバーである。
【先行技術文献】
【特許文献】
【０００３】
【特許文献１】  特許出願公開番号  特開２０１３−１５４１４７
【発明の概要】
【発明が解決しようとする課題】
【０００４】従来のレジタルカメラケースは、レンズ保護カバーが無いので、カメラ取扱い時にレンズ部に圧力が掛かりレンズに故障が発生していた。
【課題を解決するための手段】
【０００５】本発明が解決しようとするデジタルカメラケースレンズ保護カバーは、レジタルカメラ取扱い時にレンズを故障させない様にする為のレジタルカメラケースレンズ保護カバーに関するものである。
【発明の効果】
【０００６】従来のレジタルカメラケースには、レンズ保護カバーが無いので、カメラ取扱い時にレンズ部に圧力が掛かり故障が発生していた、このレンズ部に圧力が掛からない様にする為のデジタルカメラケースレンズ保護カバーで、レンズを保護し故障が発生しない様にする効果がある。
【図面の簡単な説明】
【０００７】
【図１】  デジタルカメラケースの全体図
【図２】  デジタルカメラケースの断面図
【発明を実施するための最良の形態】
【０００８】デジタルカメラを使用している人は、レンズが故障して困っている。この発明のレジタルカメラケースレンズ保護カバーを使用する事で故障が無く成り、製造コストも安く出来るので需要側と供給側は最良の形態となる。
【実施例】
【０００９】以下、添付図面で実施例を説明する。
図１はデジタルカメラケースの全体図で全体構造を表す図
図２はデジタルカメラケースの断面図で断面構造を表す図
【産業上の利用可能性】
【０００１０】デジタルカメラケース業界がデジタルカメラケースレンズ保護カバーを利用すれば大きく貢献し利益を生む可能性がある。
【符号の説明】
【０００１１】１    デジタルカメラレンズの保護カバー
２    デジタルカメラケース
３    ファスナー
【図１】
2016009182.tif 000003
【図２】
2016009182.tif 000004
(57)【要約】【課題】  熱感知器の作動の原因が、機器の故障に起因するのか、または故意或いはそれ以外の人的な行動に起因するのかを正確に且つ簡単に判断できる熱感知器の作動原因判断方法を得る。【解決手段】  熱を感知して火災警報を行わせる熱感知器２における作動原因判断方法であって、熱感知器２にサーモラベル３を取り付けておき、非火災時に熱感知器２が作動し、消火設備が起動した場合に、サーモラベル３の色を確認することにより、サーモラベル３の色が変色していなければ、熱感知器の作動の原因が機器の故障にあると判断し、サーモラベル３の色が変色していれば、非火災報にあると判断することができるようにした。【選択図】  図１
2016178987.tif 000002
【特許請求の範囲】
【請求項１】
熱を感知して火災警報を行わせる熱感知器における作動原因判断方法であって、熱感知器にサーモラベルを取り付けておき、非火災時に熱感知器が作動し、消火設備が起動した場合に、前記サーモラベルの色を確認することにより、作動原因を判断することを特徴とする熱感知器の作動原因判断方法。
【発明の詳細な説明】
【技術分野】
【０００１】
本発明は、熱を感知して火災警報を行わせる熱感知器における作動原因判断方法に関するものである。
【背景技術】
【０００２】
火災による熱を感知して、自動的に消火液や消火薬剤を噴射して消火を行うスプリンクラー設備やパッケージ型自動消火設備といった固定式の消火設備が、ビル、旅館、共同住宅、病院、福祉施設等における消火設備として広く設置されている。
固定式の消火設備では、消火区画毎に熱感知器が設置され、熱感知器が火災により生じる熱を感知すると火災警報を発し、消火設備が起動して火災警報を発した熱感知器のある消火区画に通じる消火配管の選択弁が開き、当該消火区画に設置されている噴射ヘッドから消火液や消火薬剤等が放出されるようになっている（例えば、特許文献１参照。）。
【０００３】
このような固定式の消火設備で、火災が発生していないにも拘わらず、熱感知器が作動して消火設備が起動し、消火区画に設置されている噴射ヘッドから消火液や消火薬剤等が放出されるといった事故が発生する場合がある。こうした熱感知器の作動の原因としては、機器の故障、または非火災報（故意或いはそれ以外の人的な行動によって火災と同様な現象を感知して作動し、火災警報を発する）、のいずれかであると考えられるが、機器の故障、または非火災報のどちらによるものなのか熱感知器の外観からは判断つかない。
【０００４】
従来、火災が発生していないにも拘わらず、熱感知器が作動して消火設備が起動し、消火区画に設置されている噴射ヘッドから消火液や消火薬剤等が放出されるといった事故が発生した場合、熱感知器の作動の原因が、機器の故障、または非火災報のどちらによるものなのかを正確に且つ簡単に判断できる手段はない。
【先行技術文献】
【特許文献】
【０００５】
【特許文献１】特開２０１２−１９２０１２号公報
【発明の概要】
【発明が解決しようとする課題】
【０００６】
上記のように、従来、固定式の消火設備にあって、火災が発生していないにも拘わらず、熱感知器が作動して消火設備が起動し、消火区画に設置されている噴射ヘッドから消火液や消火薬剤等が放出されるといった事故が発生した場合、熱感知器の作動の原因が、機器の故障、または非火災報のどちらによるものなのかを正確に且つ簡単に判断できる手段はないため、その適切な対処が困難とされているといった問題があった。
【０００７】
本発明の目的は、熱感知器の作動の原因が、機器の故障、または非火災報のどちらによるものなのかを正確に且つ簡単に判断できる熱感知器の作動原因判断方法を提供することにある。
【課題を解決するための手段】
【０００８】
上記の目的を達成するために、請求項１に記載の発明は、熱を感知して火災警報を行わせる熱感知器における作動原因判断方法であって、熱感知器にサーモラベルを取り付けておき、非火災時に熱感知器が作動し、消火設備が起動した場合に、前記サーモラベルの色を確認することにより、作動原因を判断することを特徴とする。
【発明の効果】
【０００９】
本発明に係る熱感知器の作動原因判断方法によれば、熱感知器にサーモラベルを取り付けておき、非火災時に熱感知器が作動し、消火設備が起動した場合に、前記サーモラベルの色を確認することにより、作動原因を判断するようにしたので、火災が発生していないにも拘わらず、熱感知器が作動して消火設備が起動し、消火区画に設置されている噴射ヘッドから消火液や消火薬剤等が放出されるといった事故が発生した場合、熱感知器に取り付けてあるサーモラベルの色が変色していなければ、熱感知器の作動の原因が機器の故障によるものと判断することができ、サーモラベルの色が変色していれば、熱感知器の作動の原因が非火災報によるものと判断することができる。
このように、熱感知器の作動の原因を、前記サーモラベルの色を確認するといった簡単な方法により、容易に且つ正確に判断することができる。
【図面の簡単な説明】
【００１０】
【図１】本発明に係る熱感知器の作動原因判断方法を実施する熱感知器の一例を示す説明図である。
【発明を実施するための形態】
【００１１】
以下、本発明に係る熱感知器の作動原因判断方法を実施する形態の一例を図１を参照して説明する。
図１は本発明に係る熱感知器の作動原因判断方法を実施する熱感知器の一例を示す説明図である。
本発明に係る熱感知器の作動原因判断方法は、建物の天井１等に取り付けられる熱感知器２にサーモラベル３を取り付けておき、非火災時に消火動作設備が動作した場合に、サーモラベル３の色を確認することにより、作動原因を判断する。
本例の熱感知器の作動原因判断方法が実施される熱感知器２は、特に限定されるものではなく、本例では、天井１に固定されるベース４と、ベース４に固定された感熱部５と、感熱部５の感熱により作動して警報を発するスイッチ作動部６とで構成されている。
【００１２】
このように構成された熱感知器２の感熱部５に、サーモラベル３を貼着等の手段により取り付けておく。感熱部５にサーモラベル３を貼着する箇所にあっては、感熱部５の表裏面のいずれでもよいが、剥離やいたずら等を考慮すると裏面が好ましい。
このサーモラベル３は、特定温度で変色し、一度変色すると元の色に戻らない不可逆性示温材として公知のものが使用される。使用されるサーモラベル３の変色温度は、熱感知器２が火災と判断し、スイッチ作動部６を作動させ火災警報を発する温度で変色する温度に設定されている。
【００１３】
このようなサーモラベル３を取り付けた熱感知器２の作動原因判断は次のようになされる。
非火災時に、熱感知器２のスイッチ作動部６が作動して火災警報を発し、消火動作設備が動作した場合に、サーモラベル３の色を確認する。熱感知器２に取り付けてあるサーモラベル３の色が変色していなければ、熱感知器２の作動の原因が機器の故障によるものと判断する。
一方、サーモラベル３の色が変色していれば、熱感知器２の作動の原因が、機器の故障ではなく非火災報によるものと判断する。
このように、熱感知器２の作動の原因を、サーモラベル３の色を確認するといった簡単な方法により、容易に且つ正確に判断することができる。
【符号の説明】
【００１４】
１  天井
２  熱感知器
３  サーモラベル
４  ベース
５  感熱部
６  スイッチ作動部
【図１】
2016178987.tif 000003
(57)【要約】【課題】  魚網などに海中生成物付着防止用ロープとして利用する短細繊維撚り込みロープを提供する。【解決手段】本発明では、短細繊維の植毛方法として静電植毛法では無く、ロープを製造する段階でロープを撚る時に、ロープ繊維と鉛直的・連続的に短細繊維を挟みながら撚り込む方法であるが、その短細繊維は細く柔軟性の有る材質で、もしその短細繊維に海中生成物が付着したとしても潮流に引っ張られる力で千切れてしまう様な強度の弱い繊維とし、その密度は潮流に依り短細繊維がなびいた時にロープ繊維の地肌が露出しない程度とし、その様な方式で形成された短細繊維撚り込みロープで、漁網を編み、定置網や養殖生け簀網とする海中生成物付着を防止する短細繊維撚り込みロープ及び短細繊維撚り込み網ロープ。【選択図】図１
2016160570.tif 000002
【特許請求の範囲】
【請求項１】
海で用いられるアンカーロープの様なロープや魚網の格子状を形成する網ロープ等を製造する場合において、出来上がるロープの太さは夫々異なるが、共に夫々のロープ繊維材を撚り合わせて形成される物であり、それぞれの撚られる工程において、ロープ繊維及び網ロープ繊維に対し鉛直的・連続的に短細繊維を挟みながら撚り込ませていき、それによって撚り上がったロープ及び網ロープの周り全体が無数の短細繊維で覆われた短細繊維撚り込み網ロープとして出来上がるのであり、短細繊維撚り込み網ロープを用いて格子状に形成したものが魚網となるのであって、その場合の短細繊維は細く柔軟性の有る材質で、もしその短細繊維に海中生成物が付着したとしても、潮流によって千切れてしまう程度の強度の弱い繊維とし、短細繊維がロープや網ロープの全面をを覆う密度は潮流により短細繊維がなびいた時に、ロープ繊維及び網ロープ繊維の地肌が露出しない程度とする事を特徴とする海中生成物の付着を防止する短細繊維撚り込みロープ及び短細繊維撚り込み網ロープ。
【発明の詳細な説明】
【技術分野】
【０００１】  本発明は、海中に設置するロープ、定置網及び養殖生け簀網等における海中生成物の付着防止に関するものである。
【背景技術】
【０００２】  従来、海中生成物の付着防止法として、付着した海中生成物を物理的に可動片にて除去したり、付着防止剤等を混入した化学繊維でロープや網を製造する方法又は、ロープに導電性繊維を巻き付けその繊維と海水の間に電圧を掛け、塩素ガスに依る海中生成物の付着防止及び除去する方法等が知られている。又静電植毛によるロープを利用した防止法も知られている（技術文献１参照）。
【先行技術文献】
【特許文献】
【０００３】
【特許文献１】特開平６−３１１８３１号公報
【発明の概要】
【発明が解決しようとする課題】
【０００４】  従来より、下記の方法は数多く知られているが、次のような問題点があった。
（イ）海中生成物の付着防止法として付着した生成物を物理的に可動片等にて除去する      には、ロープの様な形態には適するが網等には構造上不向きである。
（ロ）付着防止剤等を混入した化学繊維でロープや網を製造する方法は、混入した薬品      の効果を上げれば、化学繊維から溶け出した薬物に依り、潮の流れる方向に関係な      く養殖生け簀網内の魚に悪影響を及ぼす可能性が有る。
（ハ）ロープに導電性繊維を編み込む又は巻き付け、その繊維と海水の間に電圧を掛け      海水の電気分解に依る塩素ガスで海中生成物の付着を防止・除去する方法は、潮が      流れて居れば塩素ガスは発生元から斜めに浮上する事に成り、潮の流れる方向に関      係なく網の中に居る魚は塩素ガスの悪影響を受ける危険性が高い。
（ニ）参考文献１に示される先行技術に関しては、短繊維の植毛法として、静電植毛法      を用いるが、静電植毛には大量の接着剤をロープ又は網全体に塗布しなければなら      ず、製造コストアップと重量の増加を招いてしまう。
【課題を解決するための手段】
【０００５】  海で用いられるアンカーロープの様なロープや、魚網の格子状を形成する網ロープを製造する場合において、出来上がるロープの太さは夫々異なるが、共に夫々のロープ繊維材を撚り合わせて形成される物であり、それぞれの撚られる工程において、ロープ繊維及び網ロープ繊維に対し鉛直的に短細繊維を挟みながら撚り込ませていき、それに依って撚り上がったロープ及び網ロープの周り全体が無数の短細繊維で覆われた短細繊維撚り込みロープ、あるいは短細繊維撚り込み網ロープとして出来上がるのであり、短細繊維撚り込み網ロープを用いて格子状に形成したものが魚網となる。その場合の短細繊維は細く柔軟性の有る材質で、もしその短細繊維に海中生成物が付着したとしても潮流によって千切れてしまう様な強度の弱い繊維とし、それがロープや網ロープを覆う、その密度は潮流に依り短細繊維がなびいた時に、ロープ繊維及び網ロープ繊維の地肌が露出しない程度とする。
以上を特徴とする海中生成物付着を防止する短細繊維撚り込みロープ及び短細繊維撚り込み網ロープ。
【発明の効果】
【０００６】  本発明では、薬物の流出なども無く又は電気分解に依る塩素ガスの発生も無い為、網の中に居る魚に悪影響の心配が無い。
網を形成している一本一本の総てのロープを短細繊維で覆われて、短細繊維が潮の流れで絶えずなびいている為、海中生成物が付着しにくく撚り込みロープの短細繊維に海中生成物が付着したとしても、繊維が細い為一定の成長段階で潮流に依る張力で外れ去るか、短細繊維と共に千切れ落ちる。
魚網の潮流に依る力が増加し網が切れたり流されたりする事も無い。
上記短細繊維撚り込みロープで、漁網を編み、定置網や養殖生け簀網とする事で網に掛る潮流の力を軽減し網の切断や流失の防止に繋がる。
【図面の簡単な説明】
【０００７】
【図１】  本発明の短細繊維撚り込みロープ断面図
【図２】  本発明の短細繊維撚り込みロープ斜視図
【図３】  図２に示される本発明の短細繊維撚り込みロープを海中で使用して、短細繊維がロープの周りを覆い潮流になびいている状態を示すイメージ図
【発明を実施するための形態】
【０００８】    以下本発明の具体的な実施の形態を説明する。
（イ）本発明の短細繊維撚り込みロープ（１）の作り方は、ロープ繊維（２）を撚り合    わせる時ロープ繊維（２）とロープ繊維（２）の間に短細繊維（３）を連続的且つ鉛    直的に挟みながらロープ繊維（２）を撚り合わせる事で、ロープ全体を短細繊維（３    ）で覆う。
（ロ）本発明の短細繊維撚り込みロープ（１）が潮流に依り短細繊維（３）は大きくな    びき揺れが発生し海中生成物が付着しにくく、また付着しても非常に細い短細繊維（    ３）なので脱落し易い。また短細繊維（３）は引っ張られる力に弱く、海中生成物が    付着し成長したとしても、潮流に依る力の為、短細繊維（３）が千切れて海中生成物    と共に流される。それ故、短細繊維撚り込み網ロープで形成された魚網は潮流による    大きな力を受け流し、魚網が切れたり流される心配も無い。
【符号の説明】
【０００９】  １  短細繊維撚り込みロープ
２  ロープ繊維
３  短細繊維
４  潮流の方向
【図１】
2016160570.tif 000003
【図２】
2016160570.tif 000004
【図３】
2016160570.tif 000005
(57)【要約】【課題】  便器の水面に浮力を持つ物を使用するため、汚物が付着してしまい、美的ではない。また、気泡により跳ね返りを防止するものであり、別の設備を必要とするため、実用性に問題がある。【解決手段】便座装置において、洗浄ノズルを下向きに制御し、水面に適量落下させ、波面を起こさせること。【選択図】図１
2016160745.tif 000002
【特許請求の範囲】
【請求項１】
便座装置において、洗浄ノズルを下向きに制御し、水面に適量落下させ、波面を起こさせることを特徴とする跳ね返り防止機能付便座装置。
【請求項２】
便座装置において、局部温風乾燥ノズルを下向きに制御し、水面を温風にて波面を起こさせることを特徴とする跳ね返り防止機能付便座装置。
【発明の詳細な説明】
【技術分野】
【０００１】  本発明は、排便時において、水面からの跳ね返りを防止する跳ね返り防止機能付便座装置に関するものである。
【背景技術】
【０００２】  従来品の技術としては、便器の水面に、汚物の水洗時にも流されない浮力を持つ物を浮かべることを特徴とする排便時の汚物の跳ね返り防止具がある。（特許文献１参照）【０００３】  また、別の従来技術として、水洗便器水封水の表層及び内部に泡を形成することで、用便中に排泄されて落下する糞尿により水封水が飛散することを防止する方法がある（特許文献２参照）
【先行技術文献】
【特許文献】
【０００４】
【特許文献１】  特開２００６−１１２２０３号公報
【特許文献２】  特開２０００−１７９０３０号公報
【発明の概要】
【発明が解決しようとする課題】
【０００５】  前記前者においては、便器の水面に浮力を持つ物を使用するため、汚物が付着してしまい、美的ではない。【０００６】  また、前記後者においても、気泡により跳ね返りを防止するものであり、別の設備を必要とするため、実用性に問題がある。【０００７】  本発明は、このような従来の構成が有していた問題を解決しようとするものであり、現有の洗浄ノズルや局部温風乾燥ノズルを利用することで跳ね返りを防止する跳ね返り防止機能付便座装置を提供することを目的とする。
【課題を解決するための手段】
【０００８】  本発明は、上記目的を達成するために、便座装置において、洗浄ノズルを下向きに制御し、水面に適量落下させ、波面を起こさせること。また、便座装置において、局部温風乾燥ノズルを下向きに制御し、水面を温風にて波面を起こさせることを特徴とするものである。
【発明の効果】
【０００９】１）、現有する洗浄ノズルを下向きにし、水面に適量の水を落下させ波面を起こすことにより、排便時等の跳ね返りを防止することができる。
２）、現有する局部温風乾燥ノズルを下向きにし、水面を温風にて波面を起こさせることにより排便時等の跳ね返りを防止することができる。
３）、すでに装備されている機器の制御を行うことにより簡単に目的を達成することが出来る。
【図面の簡単な説明】
【００１０】
【図１】  本発明の第１実施例を示す跳ね返り防止機能付便座装置の要部側面図。
【図２】  本発明の第２実施例を示す跳ね返り防止機能付便座置の要部側面図。
【発明を実施するための形態】
【００１１】  まず、跳ね返り防止機能付便座装置の洗浄ノズル１について、先端ノズル２を１８０°回転（制御）させることにより吹出口２ａを下向きに位置させるものである。
この状態で吹出口２ａより水Ｍを適量落下させ水面Ｓに波面を起こさせることができ、排便時等の跳ね返りを防止できるものである。
【００１２】  つぎに、跳ね返り防止機能付便座装置の局部温風乾燥ノズル２１については、先端温風ノズル２２を１８０°回転（制御）させることにより吹出口２２ａを下向けに位置させるものである。
この状態で、吹出口２２ａより温風Ｏを水面Ｓ２に当てることにより波面を起こさせることができ、排便時等の跳ね返りを防止できるものである。
【００１３】  なお、制御方法は、特に限定するものではなく、自動でも手動でもよい。
また、水の量や温風の量は、必要に応じて決めるものとします。
【産業上の利用の可能性】
【００１４】  排便時等の跳ね返りは不快なものであり、これらを解消することは多くのニーズがあり、市場性は高いと思われます。
【符号の説明】
【００１５】１―――跳ね返り防止機能付便座装置
２―――先端ノズル
２ａ――吹出口
Ｓ―――水面
Ｍ―――水
【図１】
2016160745.tif 000003
【図２】
2016160745.tif 000004
(57)【要約】【課題】足元の視界を確保し、安全に使用できる携帯ラックを提供する。【解決手段】携帯ラックと体が接触する位置に空間を保持する凸部又は凹部を設けたことを特徴とする。【選択図】図１
2016160742.tif 000002
【特許請求の範囲】
【請求項１】
本体と
前記本体より突出された凸部を有し、
前記本体と前記凸部の間が透視可能なラック
【発明の詳細な説明】
【技術分野】
【０００１】この発明は壁紙施工時、足元の視界を確保し、安全かつ迅速に作業を行なえる携帯ラックである。
【背景技術】
【０００２】従来、壁や天井への壁紙貼り付け施工を行なう時、毎回貼り付ける壁紙を床や作業を行なう足場の上に置いた壁紙を取りに行き、貼り付けていた。
【先行技術文献】
【０００３】
【特許文献】
【発明の概要】
【発明が解決しようとする課題】
【０００４】これは次のような欠点があった。
従来、壁や天井への壁紙貼り付け施工は足場の上での作業となり、足元の視界を遮るラックなどを持ちながらの作業は考えられなかった。又、足場の上に貼り付ける壁紙を置いていると歩行の邪魔になり、床に置いた壁紙を取りに行くのは大変な時間と労力を要する。本発明は以上のような欠点をなくすためになされたものである。
【課題を解決するための手段】
【０００５】二組のＬ字型の支柱とその支柱を略並行に繋ぎ合わせるようにして骨組みを設ける。Ｌ字の角の部分にコの字型の棒を設ける。前記骨組みの上に透過性のネットの両端部分を袋縫いにし棒を通し、担架のような形状にしたものを接続する。Ｌ字形の上部にベルトや紐などを設ける。本発明は以上の構成によりなる壁紙ショルダーラックである。
【発明の効果】
【０００６】透過性のネットを担架状の形状にした事と前記骨組みにより視界を妨げず、足元の安全を確認できる。又、ネットの上に多くの壁紙を置いた時などもコの字型の棒により携帯ラックと体の間に空間ができる事で視界を確保でき、足場上での使用が可能となる。その為、毎回壁紙を貼るたびに壁紙を取りに行く時間と労力を削減でき、安全も確保できる。
【図面の簡単な説明】
【０００７】
【図１】本発明の斜視図である。
【図２】本発明の折りたたみ部分の分解斜視図である。
【発明を実施するための形態】
【０００８】以下、図面を参照しながら本発明を実施する為の形態について説明する。なお、本明細書及び図面においては、同一の符号が付された構成要素は実質的に同一の構造または機能を有するものである。
【０００９】図１は本発明にかかる壁紙ショルダーラックの一例として構成を示す斜視図である。１と２は本体の一部を構成するＬ字支柱の上部１と底部２で、折りたたみネジ７により接続されている。もう一対のＬ字支柱１、２を、左右接合棒３により接合する。
【００１０】５は壁紙置きネットで、壁紙施工時に壁紙を上に置いて作業する。ここに使用する材質を透過性の有るネットやシートにしたり、格子状にする事で作業時の足元の視界を妨げない。ネットの端部を袋縫いにし棒を通し、担架のような形状にする事で、本体が前後左右に傾いた時も上に乗せた壁紙が滑り落ちにくいようにできる。
【００１１】４は空間確保棒で折りたたみネジ７により支柱１、２に接続されている。この空間確保棒４により、作業時に体と本体との間に空間ができ、足元をさらに見やすくできる。又、透過性の板などを使用しても同様の効果が得られる。
【００１２】本体をベルト８で肩や首から吊して使用する。釣り針形状のフックでも使用できるが、紐やベルトなどを使用する事で、さまざまな体型に合わせ、かつ首の後方に掛けたり、肩から襷掛けにしたりと、作業の状況に合わせ使い分ける事ができる。
【００１３】Ｌ字支柱上部１と底部２と空間確保棒４は折りたたみネジ７により接続固定されているが、折りたたみネジ７を緩める事で、前記１、２、４は可動的な状態となる。壁紙置きネット５をフック１０から抜き本体から外した後、折りたたみネジ７を軸に折りたたむ事で１、２、３、４は平面的にコンパクトな状態となる。ネット５も袋縫いにした中の棒に巻きつける事でコンパクトになり持ち運びやすくなる。
【００１４】壁紙の施工で必要な道具の一つに直定規があるが、直定規は携帯する際、収納場所に頭を悩ます道具であるが、筒状などの収納具９を設ける事で直定規の収納も容易に行なえる。又、その他の道具の収納具を取り付ける事で、より便利に使用できる。
【００１５】本発明は以上のような構造である。この構造により足場上でラックに壁紙を乗せて持ちながらの作業が可能となる。又、壁紙糊付け機の下にセットし、糊付けした壁紙をネット５の上に乗せていく事で施工場所までそのまま壁紙に折り目をつける事なく運搬できる。壁紙を例に挙げて本発明を説明したが、ガラスフィルムやその他シートなどの貼り付けにも使用できる。
【００１６】以上、図面を参照しながら本発明の好適な実施の形態について説明したが、本発明は上述した形態に限定されない。すなわち、特許請求の範囲に記載された発明の範囲内で当業者が想到し得る形態または各種の変更例についても本発明の技術的範囲に属するものと理解される。
【符号の説明】
【００１７】１    Ｌ字支柱上部
２    Ｌ字支柱底部
３    左右接合棒
４    空間確保棒
５    壁紙置きネット
６    Ｌ字固定金具
７    折りたたみネジ
８    ベルト
９    直定規収納筒
１０  フック
【図１】
2016160742.tif 000003
【図２】
2016160742.tif 000004
(57)【要約】【課題】  従来の海水自然蒸発法は時間を要し蒸発効率が低かった。そこで海水を速く、大量に自然蒸発させる方法として「布干し海水濃縮法」を提供する。【解決手段】  布を海水で、濡らしと乾かしを交互に繰り返しながら、海水を自然蒸発させて、濃縮する。布は薄く表面積が大きいので海水を速く自然蒸発させることを特徴とする。【選択図】図１
2016160177.tif 000002
【特許請求の範囲】
【請求項１】
布を構成要素とする。塩分濃度を高める海水の濃縮方法であって、「海水の入った水槽に布を入れて濡らす工程と、濡れた布を水槽から取り出し天日や空気に晒し、干して乾かす工程とを交互に繰り返して、濡れた布から海水を蒸発させ、乾いた布から塩類の結晶を再び水槽の海水に溶けさせて塩分濃度を高め海水を濃縮することを特徴とする」布干し海水濃縮法。
【発明の詳細な説明】
【技術分野】
【０００１】  この発明は布を用いて、海水を天日や空気に晒して、自然蒸発させて塩分濃度を高め濃縮する方法に関する。
【背景技術】
【０００２】  従来、海水の自然蒸発は天日干しや、蒸発用具等に海水を掛け流して行われていた。
【先行技術文献】
【技術文献】
【０００３】  新規軸につき、抵触する先行技術は無い。
【発明の概要】
【発明が解決しようとする課題】
【０００４】  海水蒸発の要点は、速く、及び、大量に尽きる。その為には天日や空気に晒す海水の表面積を如何に大きくさせるかにある。従来は海水の表面積を大きくすることに欠けるが為に、海水蒸発が遅く及び蒸発量が少ない。【０００５】  洗濯物干しの要領を得て、布を用いて海水を自然蒸発させることにした。
【課題を解決するための手段】
【０００６】  布の特性は、＜薄く、表裏両面に加え表面積が大きいので＞、海水で濡れた布を天日や空気に晒すと海水の蒸発は速く、蒸発量も多い。【０００７】  水槽に海水を満たし、布を入れて濡らす。濡れた布を取り出して天日や空気に晒して干す。布が乾いたら、又、水槽に入れて濡らす。これを交互に繰り返す。この濡らしと乾かしの繰り返しの過程で、濡れた布が乾くと海水の真水だけが蒸発し他の塩類は結晶となって布に付着する。今度は、この乾いた布を水槽に浸すと、付着した塩類が布から溶け出し、水槽の海水は徐々に塩分濃度が高まり濃縮される。塩分濃度が高まり飽和状態になると塩類の結晶が沈殿する。沈殿した塩類の結晶は取り出す。水槽の海水が減ると海水を補給する。
【発明の効果】
【０００８】  自然エネルギーの利用及び廉価である布を大規模に垂れ幕設置が出来るので、極低コスト、大量、速く、海水濃縮が行える。施設が簡易である。
【図面の簡単な説明】
【０００９】
【図１】は実施例［００１１］で示す布の立面図である。
【図２】は実施例［００１１］で示す水槽の斜視図である。
【発明を実施するための最良の形態】
【００１０】  高所から大量の布を垂れ下ろし林立さす。
【実施例】
【００１１】  水槽に海水を満たし、布を入れて濡らし、取り出して、竿に垂幕として吊るして干す。
【実施例】
【００１２】  水は温度が高い程、蒸発は早い。発電所等の使用済み海水冷却水等は好適である。
【図１】
2016160177.tif 000003
【図２】
2016160177.tif 000004
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
塩分濃度を高める海水の濃縮方法であって、海水の入った水槽に布を入れて濡らす工程と、濡れた布を水槽から取り出し天日や空気に晒し、干して乾かす工程とを交互に繰り返して、濡れた布からは海水を蒸発させ、乾いた布からは塩類の結晶を再び水槽の海水に溶けさせることによって、塩分濃度を高め海水を濃縮することを特徴とする布を用いた布干し海水濃縮法。